(57)【要約】【課題】被装飾体の表面に影響を与えることなく、容易に装飾を変更することができる装飾部材の取付構造、ならびに、その取付構造を有する装飾付き器および装飾品を提供する。【解決手段】磁性体１１を有する被装飾体１と、磁石２１が取り付けられた装飾部材２とを有し、磁石２１を磁性体１１に吸着させることにより、装飾部材２を被装飾体１に取り付けて成っている。被装飾体１は、磁性体１１を有する凹部１２を備えていてもよい。また、装飾部材２は、ビーズに磁石２１を取り付けて成り、凹部１２内で磁性体１１に吸着していてもよい。【選択図】図１
0003189232.tif 000002
【実用新案登録請求の範囲】
【請求項１】
磁性体を有する被装飾体と、
磁石が取り付けられた装飾部材とを有し、
前記磁石を前記磁性体に吸着させることにより、前記装飾部材を前記被装飾体に取り付けて成ることを
特徴とする装飾部材の取付構造。
【請求項２】
前記被装飾体は前記磁性体を有する凹部を備え、
前記装飾部材はビーズに前記磁石を取り付けて成り、前記凹部内で前記磁性体に吸着していることを
特徴とする請求項１記載の装飾部材の取付構造。
【請求項３】
請求項２記載の装飾部材の取付構造を有し、
前記被装飾体は器から成り、外側面に前記凹部を有していることを
特徴とする装飾付き器。
【請求項４】
請求項１記載の装飾部材の取付構造を有し、
前記被装飾体は額縁から成り、フレームの内側に取り付けられた板状磁性体を有することを
特徴とする装飾品。
【考案の詳細な説明】
【技術分野】
【０００１】
本考案は、装飾部材の取付構造、装飾付き器および装飾品に関する。
【背景技術】
【０００２】
従来、器や額縁などを装飾する際には、それらの被装飾体を製造するときに装飾も一緒に形成したり、粘着剤により装飾を貼り付けたりしていた。また、他にも、ガラス容器を二重に形成し、外側のガラスと内側のガラスとの間に装飾を入れたものなども開発されている（例えば、特許文献１参照）。
【先行技術文献】
【特許文献】
【０００３】
【特許文献１】実用新案登録第３１４１５０８号公報
【考案の概要】
【考案が解決しようとする課題】
【０００４】
しかしながら、製造時に形成された装飾や特許文献１に記載のような装飾では、装飾を容易に変更することができないという課題があった。また、粘着剤で装飾を貼り付けるものでは、貼り替えることにより比較的容易に装飾を変更することができるが、粘着剤が被装飾体の表面に残ったり、粘着剤を剥がすときに被装飾体の表面が傷んだりすることがあるという課題があった。
【０００５】
本考案は、このような課題に着目してなされたもので、被装飾体の表面に影響を与えることなく、容易に装飾を変更することができる装飾部材の取付構造、ならびに、その取付構造を有する装飾付き器および装飾品を提供することを目的とする。
【課題を解決するための手段】
【０００６】
上記目的を達成するために、本考案に係る装飾部材の取付構造は、磁性体を有する被装飾体と、磁石が取り付けられた装飾部材とを有し、前記磁石を前記磁性体に吸着させることにより、前記装飾部材を前記被装飾体に取り付けて成ることを特徴とする。
【０００７】
本考案に係る装飾部材の取付構造は、磁力により装飾部材を被装飾体に取り付けて成るため、装飾部材を取り外しても、被装飾体の表面に跡が残ったり、被装飾体の表面が傷んだりしない。このため、被装飾体の表面に影響を与えることなく装飾部材を着脱して、容易に装飾を変更することができる。なお、装飾を変更しない場合には、被装飾体に磁力で吸着した被装飾体を、粘着剤で固定してもよい。磁性体は、磁石が磁力で吸着する素材であればいかなるものであってもよく、例えば鉄から成っている。また、磁性体は、被装飾体の表面に設けられていてもよく、被装飾体に埋め込まれていてもよい。
【０００８】
本考案に係る装飾部材の取付構造で、前記被装飾体は前記磁性体を有する凹部を備え、前記装飾部材はビーズに前記磁石を取り付けて成り、前記凹部内で前記磁性体に吸着していてもよい。この場合、凹部内にビーズを取り付けることができ、装飾部材による被装飾体の表面の凹凸を抑えることができる。凹部は、点状の窪みであってもよく、長さを有する溝であってもよい。
【０００９】
本考案に係る装飾付き器は、本考案に係る装飾部材の取付構造を有し、前記被装飾体は器から成り、外側面に前記凹部を有していることを特徴とする。
【００１０】
本考案に係る装飾付き器は、外側面の凹部内に装飾部材を取り付けることができ、被装飾体の器を使用するときでも、装飾部材が邪魔になりにくい。また、装飾部材を取り外すことにより、容易に被装飾体の器を洗浄することができる。凹部には、磁性体として鉄粉などを貼り付けておくのが好ましい。
【００１１】
本考案に係る装飾品は、本考案に係る装飾部材の取付構造を有し、前記被装飾体は額縁から成り、フレームの内側に取り付けられた板状磁性体を有することを特徴とする。
【００１２】
本考案に係る装飾品は、フレームの内側に装飾部材を取り付けることができ、様々な装飾を施して飾ることができる。なお、フレームにも装飾部材が取り付けられるよう、フレームに磁性体を有していてもよい。
【考案の効果】
【００１３】
本考案によれば、被装飾体の表面に影響を与えることなく、容易に装飾を変更することができる装飾部材の取付構造、ならびに、その取付構造を有する装飾付き器および装飾品を提供することができる。
【図面の簡単な説明】
【００１４】
【図１】本考案の実施の形態の装飾部材の取付構造の（ａ）一例を示す断面図、（ｂ）他の例を示す正面図である。
【図２】本考案の実施の形態の装飾付き器を示す側面図である。
【図３】本考案の実施の形態の装飾品を示す正面図である。
【考案を実施するための形態】
【００１５】
以下、図面に基づき本考案の実施の形態について説明する。
図１は、本考案の実施の形態の装飾部材の取付構造を、図２は、本考案の実施の形態の装飾付き器を、図３は、本考案の実施の形態の装飾品を示している。
図１に示すように、本考案の実施の形態の装飾部材の取付構造は、被装飾体１と装飾部材２とを有している。
【００１６】
被装飾体１は、磁性体１１を有する凹部１２を備えている。図１（ａ）に示す一例では、凹部１２は細長い溝から成っており、磁性体１１は鉄板から成り、被装飾体１に埋め込まれている。また、図１（ｂ）に示す一例では、凹部１２は点状の窪みから成っており、磁性体１１は鉄粉から成り、凹部１２に貼り付けられている。
【００１７】
装飾部材２は、ビーズなどから成り、磁石２１が取り付けられている。図１（ａ）および（ｂ）に示す一例では、装飾部材２はビーズに磁石２１を取り付けて成っている。
本考案の実施の形態の装飾部材の取付構造は、磁石２１を凹部１２内で磁性体１１に吸着させることにより、装飾部材２を被装飾体１に取り付けて成っている。
【００１８】
次に、作用について説明する。
本考案の実施の形態の装飾部材の取付構造は、磁力により装飾部材２を被装飾体１に取り付けて成るため、装飾部材２を取り外しても、被装飾体１の表面に跡が残ったり、被装飾体１の表面が傷んだりしない。このため、被装飾体１の表面に影響を与えることなく装飾部材２を着脱して、容易に装飾を変更することができる。また、凹部１２内に装飾部材２を取り付けることができ、装飾部材２による被装飾体１の表面の凹凸を抑えることができる。なお、装飾を変更しない場合には、被装飾体１に磁力で吸着した被装飾体１を、粘着剤で固定してもよい。
【００１９】
図２に示すように、本考案の実施の形態の装飾付き器は、被装飾体１と装飾部材２とを有している。被装飾体１は、飯茶碗から成り、外側面に、周方向に沿って形成された２本の溝状の凹部１２を備えている。各凹部１２は、鉄粉から成る磁性体１１が貼り付けられている。装飾部材２は、磁石２１が取り付けられた大小のビーズから成っている。
【００２０】
本考案の実施の形態の装飾付き器は、装飾部材２のビーズを凹部１２内に並べて吸着させることにより、外側面に模様を形成することができる。本考案の実施の形態の装飾付き器は、外側面の凹部１２内に装飾部材２を取り付けるため、被装飾体１の器を使用するときでも、装飾部材２が邪魔になりにくい。また、装飾部材２を取り外すことにより、容易に被装飾体１の器を洗浄することができる。
【００２１】
図３に示すように、本考案の実施の形態の装飾品は、被装飾体１と装飾部材２とを有している。被装飾体１は、額縁から成り、フレーム１３の内側に、鉄板の表面に表装を施した装飾板１４が嵌め込まれている。また、被装飾体１は、フレーム１３の内部にも、鉄板が埋め込まれている。装飾部材２は、様々な形状や模様のパーツ２ａや、表面に図柄や写真などが印刷されたパネル２ｂなどから成っている。各パーツ２ａやパネル２ｂは、裏面に磁石２１が取り付けられている。
【００２２】
本考案の実施の形態の装飾品は、装飾部材２のパーツ２ａやパネル２ｂをフレーム１３の内側やフレーム１３の上に並べて吸着させることにより、様々な装飾を施すことができる。本考案の実施の形態の装飾品は、壁等に掛けたり、テーブル等に立てたりして飾ることができる。
【符号の説明】
【００２３】
１  被装飾体
１１  磁性体
１２  凹部
１３  フレーム
１４  装飾板
２  装飾部材
２１  磁石
２ａ  パーツ
２ｂ  パネル
【図１】
0003189232.tif 000003
【図２】
0003189232.tif 000004
【図３】
0003189232.tif 000005